(57)【特許請求の範囲】
【請求項１】
太陽光パネル（11）と、該太陽光パネル（11）に固定された回動軸（41）と、該回動軸（41）を支持する支持部（51）を備えるとともに接地面（G）に固定される架台（50）と、太陽の向きに応じて上記太陽光パネル（11）を上記回動軸（41）の軸周りに回動させる駆動機構（5）と、を備え、
上記架台（50）は、１枚の太陽光パネル（11）を支持する上記支持部（51）が上端部に設けられるとともに下端部が接地面（G）に埋設される１本の杭（55）により構成されている太陽光パネルユニット（2，3）を複数備えた太陽光発電システムであって、
上記駆動機構（5）として、太陽光パネル（11）を駆動するアクチュエータ（20）と、複数の太陽光パネル（11）の回動動作を同期させるように構成されたリンク機構（30）とを有する駆動側の第１太陽光パネルユニット（2）と、
上記駆動機構（5）として、太陽光パネル（11）を駆動するアクチュエータ（20）を備えずに、複数の太陽光パネル（11）の回動動作を同期させるように構成されたリンク機構（30）を有する従動側の第２太陽光パネルユニット（3）と、を備え、
１台の第１太陽光パネルユニット（2）と複数台の第２太陽光パネルユニット（3）とがリンク連結ロッド（6）で接続され、
各太陽光パネルユニット（2，3）の架台（50）が同じ高さで一直線上に配列されるように各架台（50）の位置を調整する位置合わせ機構（60）が設けられ、
上記位置合わせ機構（60）は、上記各太陽光パネルユニット（2，3）の架台（50）の同じ位置をレーザー光が透過するように上記杭（55）に形成された貫通孔（61）により構成されていることを特徴とする太陽光発電システム。
【請求項２】
請求項１に記載の複数台の太陽光パネルユニット（2，3）を地面（G）に設置する太陽光発電システムの設置方法であって、
各太陽光パネルユニット（2，3）の架台（50）を構成する杭（55）を地面（G）に打ち込んで、各杭（55）を同じ高さで一直線上に配列する配列工程と、
各太陽光パネル（11）を各架台（50）に設置する設置工程と、
各太陽光パネルユニット（2，3）をリンク連結ロッド（6）で連結する連結工程とを順に行い、
上記配列工程では、各杭（55）に形成された貫通孔（61）にレーザー光を透過させることにより、各太陽光パネルユニット（2，3）の架台（50）の位置合わせを行うことを特徴とする太陽光発電システムの設置方法。
【発明の詳細な説明】
【技術分野】
【０００１】
本発明は、太陽光パネルと該太陽光パネルを駆動して回動させる駆動機構とを備えた太陽光パネルユニットを複数用いることで構成される太陽光発電システム、及びこの太陽光発電システムを室外に設置するときの設置方法に関するものである。
【背景技術】
【０００２】
従来より、太陽光パネルと、太陽光パネルを回動させるためのアクチュエータとを備える太陽光パネルユニットが知られている。この太陽光パネルユニットでは、太陽光パネルの受光面を太陽の方向に追尾させるように、アクチュエータで太陽光パネルを回動させることで、太陽光パネルによる発電量をパネル固定式よりも増やすことができるようにしている。この種の太陽光パネルユニットとして、例えば特許文献１には、作動液を充満した密閉容器からなる受熱槽と、該受熱槽内において太陽光の輻射熱を受けて膨張する作動液の圧力によって作動するアクチュエータとを備えた太陽光パネルユニットが開示されている。アクチュエータは、一端が太陽光パネルに固定されたピストンを有していて、作動液の圧力によってピストンが往復運動を行うことにより、太陽光パネルが回動する。
【０００３】
特許文献１の太陽光パネルユニットは、１つの架台で１つの太陽光パネルを保持したユニットである。複数の太陽光パネルを設置する場合には、各太陽光パネルの数だけ架台を設置して複数の太陽光パネルユニットが組み立てられ、太陽光パネルユニット毎に太陽光パネルが駆動される。
【０００４】
また、本願出願人は、複数の太陽光パネルを設置するシステムにおいて、アクチュエータを備えた太陽光パネルユニットと、アクチュエータを設けない太陽光パネルユニットとをリンク機構で連結し、１つのアクチュエータで複数の太陽光パネルを駆動する機構に関する発明を既に出願している（特願２０１１−１２２５５３号）。
【先行技術文献】
【特許文献】
【０００５】
【特許文献１】特開平０６−３０１４２０号公報
【発明の概要】
【発明が解決しようとする課題】
【０００６】
特許文献１の太陽光パネルユニットを地上に複数台設置し、リンク機構で連結すると、アクチュエータの数を減らし、コスト低減を実現できると考えられる。しかしながら、すべての架台は通常は同じ形状に製作されるので、各太陽光パネルユニットを設置する地面の高さが異なると、連結すべき各ユニットのリンク機構の位置がずれてしまう。そのため、複数の太陽光パネルユニットを接地する場合には、設置前に整地作業を行って接地面の高さを均一にする必要があり、設置工程が複雑になってしまう問題が生じる。また、従来の太陽光パネルユニットでは架台の設置面積が広いので、１台だけを設置する場合でも整地作業が必要になる問題がある。
【０００７】
本発明は、このような問題点に鑑みてなされたものであり、その目的は、整地作業をしなくても太陽光パネルユニットを正確な高さに設置できるようにし、複数台を設置する場合でも、各太陽光パネルの高さを正確かつ容易に揃えられるようにすることである。
【課題を解決するための手段】
【０００８】
第１の発明は、太陽光パネルユニット（2，3）を複数備えた太陽光発電システム（1）を対象としている。
【０００９】
上記太陽光パネルユニット（2，3）は、太陽光パネル（11）と、該太陽光パネル（11）に固定された回動軸（41）と、該回動軸（41）を支持する支持部（51）を備えるとともに接地面（G）に固定される架台（50）と、太陽の向きに応じて上記太陽光パネル（11）を上記回動軸（41）の軸心周りに回動させる駆動機構（5）と、を備えている。
【００１０】
また、この太陽光パネルユニット（2，3）は、上記架台（50）が、１枚の太陽光パネル（11）を支持する上記支持部（51）が上端部に設けられるとともに下端部が接地面（G）に埋設される１本の杭（55）により構成されている。
【００１１】
上記太陽光パネルユニット（2，3）では、杭（55）を接地面（G）に打ち込むことにより、架台（50）が接地面（G）に固定される。架台（50）である杭（55）には、その上端部の支持部（51）に回動軸（41）が支持され、回動軸（41）には太陽光パネル（11）が固定される。太陽光パネル（11）は、太陽光パネルユニット（2，3）に設けられている駆動機構（5）により駆動され、太陽の向きに応じて架台（50）に対する角度が調整される。このことにより、太陽光パネル（11）は、太陽の動きに追随して角度が変化し、効率よく電力を発生する。
【００１２】
第１の発明の太陽光発電システム（1）は、上記駆動機構（5）として、太陽光パネル（11）を駆動するアクチュエータ（20）と、複数の太陽光パネル（11）の回動動作を同期させるように構成されたリンク機構（30）とを有する駆動側の第１太陽光パネルユニット（2）と、上記駆動機構（5）として、太陽光パネル（11）を駆動するアクチュエータ（20）を備えずに、複数の太陽光パネル（11）の回動動作を同期させるように構成されたリンク機構（30）を有する従動側の第２太陽光パネルユニット（3）と、を備え、１台の第１太陽光パネルユニット（2）と複数台の第２太陽光パネルユニット（3）とがリンク連結ロッド（6）で接続されている。
【００１３】
この第１の発明では、第１太陽光パネルユニット（2）に設けられたアクチュエータ（20）により、該第１太陽光パネルユニット（2）の太陽光パネル（11）が角度調整される。このアクチュエータ（20）の駆動力は、リンク機構（30）とリンク連結ロッド（6）を介して第２太陽光パネルユニット（3）の太陽光パネル（11）にも伝達される。このことにより、第１太陽光パネルユニット（2）の太陽光パネル（11）の動きと第２太陽光パネルユニット（3）の太陽光パネル（11）の動きが同期する。この第１の発明においても、各太陽光パネルユニット（2，3）の高さ調整は杭（55）の打ち込み深さを調整することにより行われる。
【００１４】
また、第１の発明では、各太陽光パネルユニット（2，3）の架台（50）が同じ高さで一直線上に配列されるように各架台（50）の位置を調整する位置合わせ機構（60）が設けられている。
【００１５】
また、第１の発明では、上記位置合わせ機構（60）が、上記各太陽光パネルユニット（2，3）の架台（50）の同じ位置をレーザー光が透過するように上記杭（55）に形成された貫通孔（61）により構成されている。
【００１６】
この第１の発明では、各太陽光パネルユニット（2，3）を設置する際に、杭（55）に形成される貫通孔（61）とその貫通孔（61）に通すレーザー光を発生させるユニットなどの位置合わせ機構（60）を用いることにより、各太陽光パネルユニット（2，3）の架台（50）の位置が揃えられる。
【００１７】
第２の発明は、第１の発明の複数台の太陽光パネルユニット（2，3）を地面に設置する太陽光発電システム（1）の設置方法を対象としている。
【００１８】
そして、この設置方法は、各太陽光パネルユニット（2，3）の架台（50）を構成する杭（55）を地面に打ち込んで各杭（55）を同じ高さで一直線上に配列する配列工程と、各太陽光パネル（11）を各架台（50）に設置する設置工程と、各太陽光パネルユニット（2，3）をリンク連結ロッド（6）で連結する連結工程とを順に行い、上記配列工程では、各杭（55）に形成された貫通孔（61）にレーザー光を透過させることにより、各太陽光パネルユニット（2，3）の架台（50）の位置合わせを行うことを特徴としている。
【００１９】
この第２の発明では、配列工程と設置工程と連結工程を順に行うことにより、複数の太陽光パネルユニット（2，3）が、位置の揃った状態で設置される。
【発明の効果】
【００２０】
本発明によれば、太陽光パネルユニット（2，3）の架台（50）を１本の杭（55）にしたことにより、杭（55）を接地面（G）に打ち込むだけで架台（50）を設置することができる。そして、太陽光パネル（11）は、接地面（G）への杭（55）の打ち込み深さを調整することにより、接地面（G）に対して正確な高さに設置することができる。したがって、本発明によれば、接地面（G）の整地作業をしなくても、太陽光パネルユニット（2，3）を正確な高さに設置できる。また、太陽光パネルユニット（2，3）を複数台設置する場合でも、各太陽光パネル（11）の高さを正確かつ容易に揃えることができる。
【００２１】
上記第１の発明によれば、太陽光パネルユニット（2，3）を設置する際に、接地面（G）に対する杭（55）の打ち込み深さを調整することにより、各太陽光パネル（11）の高さを容易に揃えることができる。また、各太陽光パネルユニット（2，3）を設置した状態では、各太陽光パネルユニット（2，3）のリンク機構（30）の高さも揃っているので、リンク連結ロッド（6）で接続したときの太陽光パネル（11）の円滑な動作を保証できる。この第１の発明では、各太陽光パネルユニット（2，3）を設置する際に接地面（G）を整地する作業が不要であるから、設置工程を簡単にしてコスト低減を図ることが可能になる。
【００２２】
上記第１の発明によれば、各太陽光パネルユニット（2，3）を設置する際に、杭（55）に形成される貫通孔（61）とその貫通孔（61）に通すレーザー光を発生させるレーザー光ユニットなどの位置合わせ機構（60）を用いることにより、各太陽光パネルユニット（2，3）の架台（50）の位置を容易に揃えることができるので、設置工程をより簡単に行うことが可能になる。
【００２３】
上記第２の発明によれば、配列工程と設置工程と連結工程を順に行うことにより、複数の太陽光パネルユニット（2，3）を、簡単且つ確実に位置の揃った状態にして設置することができる。また、配列工程では、架台（50）である杭（55）を接地面（G）に打ち込むだけでよいので、整地作業は不要である。そして、位置合わせ機構（60）を用いることにより、各太陽光パネルユニット（2，3）の位置を簡単且つ確実に一直線上に揃えることが可能となる。
【図面の簡単な説明】
【００２４】
【図１】図１は、本発明の実施形態に係る太陽光発電システムの斜視図である。
【図２】図２は、第１太陽光パネルユニットの斜視図である。
【図３】図３は、第２太陽光パネルユニットの斜視図である。
【図４】図４は、第１太陽光パネルユニットの分解斜視図である。
【図５】図５は、第２太陽光パネルユニットの分解斜視図である。
【図６】図６は、第１太陽光パネルユニットを側面から視た模式図である。
【図７】図７は、第２太陽光パネルユニットの側面から視た模式図である。
【図８】図８は、太陽光パネルユニットを地面に設置する状態を示す側面図である。
【発明を実施するための形態】
【００２５】
以下、本発明の実施形態を図面に基づいて詳細に説明する。
【００２６】
この実施形態は、太陽の位置に合わせて角度が調整される複数の太陽光パネルを備えた太陽光発電システムに関するものである。
【００２７】
（システム構成）
図１に示すように、本実施形態の太陽光発電システム（1）は、複数台の太陽光パネルユニット（2，3）を備えている。この実施形態では、６台の太陽光パネルユニット（2，3）により太陽光発電システム（1）が構成されている。この太陽光発電システム（1）は、当該システム（1）を複数組み合わせることにより、いわゆるメガソーラーシステムと呼ばれる大規模太陽光発電システムを構築するものである。なお、図示していないが、この太陽光発電システム（1）には、太陽光パネルユニット（2，3）で発電した直流電力を交流電力に変換するパワーコンディショナが設けられている。
【００２８】
まず、太陽光パネルユニット（2，3）について説明する。本実施形態の太陽光発電システム（1）は、１台の第１太陽光パネルユニット（2）と５台の第２太陽光パネルユニット（3）を組み合わせることにより構成されている。各太陽光パネルユニット（2，3）は、太陽光により直流電力を発生する太陽光パネル（11）を、太陽の動きに追随させて東西の方向に回動させるように構成されている。各太陽光パネルユニット（2，3）は、東西方向に一列に並べて配置されている。
【００２９】
図２に示す第１太陽光パネルユニット（2）には、太陽光パネル（11）を駆動するアクチュエータ（20）と、各太陽光パネルユニット（2，3）の複数の太陽光パネル（11）の回動動作を同期させるように構成されたリンク機構（30）とが、駆動機構（5）として設けられている。図３に示す第２太陽光パネルユニット（3）には、太陽光パネル（11）を駆動するアクチュエータ（20）は設けられず、複数の太陽光パネル（11）の回動動作を同期させるように構成されたリンク機構（30）のみが駆動機構（5）として設けられている。
【００３０】
そして、各太陽光パネルユニット（2，3）のリンク機構（30）がリンク連結ロッド（6）で連結され、第１太陽光パネルユニット（2）の太陽光パネル（11）の動きが第２太陽光パネルユニット（3）の太陽光パネル（11）に伝達される。つまり、本実施形態において、第１太陽光パネルユニット（2）は駆動側のユニットになっており、第２太陽光パネルユニット（3）は従動側のユニットになっている。
【００３１】
第１太陽光パネルユニット（2）と第２太陽光パネルユニット（3）は、アクチュエータ（20）の有無を除いては実質的に同じように構成されている。具体的には、各太陽光パネルユニット（2，3）は、上記太陽光パネル（11）と、該太陽光パネル（11）に固定された回動軸（41）と、該回動軸（41）を支持する支持部（51）を備えるとともに接地面である地面（G）に固定される架台（50）と、太陽の向きに応じて上記太陽光パネル（11）を上記回動軸（41）の軸心周りに回動させる上述の駆動機構（5）とを有している。
【００３２】
本実施形態において、上記架台（50）は、上端部に上記支持部（51）が設けられるとともに、下端部が接地面（G）に埋設される尖端部（52）になった１本の杭（55）により構成されている。上記支持部（51）には、回動軸（41）に固定された保持用部材（42）を保持するための固定金具（図示せず）が設けられている。本実施形態の各太陽光パネルユニット（2，3）は、図８に示すように、地面（G）に設けられた固定用のスリーブ（70）を使って杭（55）を打ち込み、その周囲をモルタルで固めることにより位置が固定される。
【００３３】
図２及び図３において、上記太陽光パネル（11）はほぼ平板状であり、上面が太陽光の受光面（11a）になっている。太陽光パネル（11）は、太陽光を受光面（11a）に受けることによって、直流電力を発生する。図２，３において、太陽光パネル（11）は便宜上仮想線で示している。
【００３４】
太陽光パネル（11）の裏面（下面）にはフレーム（40）が固定されている。フレーム（40）は、架台（50）である杭（55）の中心軸に対して予め定められた角度で傾斜する状態で上記架台（50）と連結され、太陽光パネル（11）が杭（55）に対して傾斜するようになっている。フレーム（40）は、太陽光パネル（11）の傾斜方向（上下方向）に延在して該太陽光パネル（11）の中心に位置する上記回動軸（41）と、回動軸（41）の両端にそれぞれ固定されて該回動軸（41）の軸直角方向（太陽光パネル（11）の幅方向）に延在する２本の横桟（43，44）とを有している。横桟（43）は、回動軸（41）の両端部に対応する位置に設けられている。
【００３５】
第１太陽光パネルユニット（2）の斜視図、分解斜視図及び模式側面図である図２，図４及び図６と、第２太陽光パネルユニット（3）の斜視図、分解斜視図及び模式側面図である図３，図５及び図７に示すように、横桟（43，44）の下面には、各横桟（43，44）を回動軸（41）に回転可能に装着するための軸受けブロック（45，46）が固定される。各太陽光パネルユニット（2，3）を地面（G）に設置する前の状態では、太陽光パネル（11）の裏面に横桟（43，44）が固定されているが、軸受けブロック（45，46）は横桟（43，44）から分離されているか、横桟（43，44）に仮止めされた状態である。
【００３６】
各軸受けブロック（45，46）には、回動軸（41）の端部が嵌合する軸受け面（45a，46a）が形成されている。回動軸（41）には、該回動軸（41）の端部に軸受けブロック（45，46）を装着するときに、軸受けブロック（45，46）の位置決めをするための位置決めプレート（47）が設けられている。そして、回動軸（41）の両端部に横桟（43，44）の位置を合わせ、回動軸（41）の両端部にはめ込んだ軸受けブロック（45，46）を横桟（43，44）に固定する。この状態で、横桟（43，44）は、回動軸（41）に対して位置決めプレート（47）で位置決めされるとともに、太陽光パネル（11）にも固定されている。したがって、太陽光パネル（11）は、回動軸（41）の周方向へ回動可能になる一方、回動軸（41）の軸方向へは移動しない。
【００３７】
上記横桟（43，44）に設けられる軸受けブロック（45，46）のうち、太陽光パネル（11）の傾斜方向の下方側に位置する駆動用の軸受けブロック（46）には、上記リンク機構（30）を構成するリンク部材（31）が固定される。リンク部材（31）は、上記軸受けブロック（45，46）に重ねた状態でボルトなどの締結部材（図示せず）で固定される締結プレート（32）と、この締結プレート（32）から回動軸（41）の軸方向に沿って図の左側へ突出するアーム（33）とが一体に形成されたものである。アーム（33）は、締結プレート（32）から回動軸（41）の軸方向へ突出する基部（34）と、基部（34）の先端から下方へ延出する連結部（35）とからＬ形に形成されている。また、連結部（35）の下端はＹ形の二山ジョイント（36）になっていて、この二山ジョイント（36）にリンク連結ロッド（6）が連結される。
【００３８】
駆動側である第１太陽光パネルユニット（2）には、図２及び図４に示すように、太陽光パネル（11）を回動軸（41）に対して角度調整するためのアクチュエータ（20）としてエアシリンダ（21）が設けられている。エアシリンダ（21）は、構造の詳細は省略するがケースの中にエアバッグが収納され、エアバッグの拡縮に伴ってシリンダロッド（22）がケースに対して進退する。このシリンダロッド（22）は、ケース側の根元部分にジョイント部（図示せず）が設けられ、このジョイント部よりも先端側の部分がシリンダロッド（22）の進退に伴って傾動するようになっている。
【００３９】
エアシリンダ（21）は、後端部がブラケット（25）を介して架台（50）である杭（55）の側面に固定されている。また、エアシリンダ（21）のシリンダロッド（22）の先端部（23）は、締結プレート（32）に設けられているロッド連結ピン（37）に連結されている。エアシリンダ（21）に圧縮空気が供給されるとシリンダロッド（22）が進退し、それに伴ってロッド連結ピン（37）の位置が変化することにより、太陽光パネル（11）が回動軸（41）を中心として回転する。
【００４０】
上記第１太陽光パネルユニット（2）の杭（55）には、エアシリンダ（21）を駆動するためのシリンダ駆動部品（26）が設けられている。
【００４１】
従動側である第２太陽光パネルユニット（3）には、図３，図５に示すように、アクチュエータ（20）であるエアシリンダ（21）や、エアシリンダ（21）を架台（50）である杭（55）に取り付けるためのブラケット（25）は設けられていない。また、締結プレート（32）にもロッド連結ピン（37）は設けられていない。
【００４２】
第１太陽光パネルユニット（2）と第２太陽光パネルユニット（3）は、各リンク部材（35）の連結部（35）がリンク連結ロッド（6）で連結される。こうすることにより、第１太陽光パネルユニット（2）の太陽光パネル（11）の動きが第２太陽光パネルユニット（3）の太陽光パネル（11）に伝達され、各太陽光パネル（11）が同じ動作をする。
【００４３】
なお、従動側である第２太陽光パネルユニット（3）には、ロッド連結ピン（37）は不要であるが、第１太陽光パネルユニット（2）の締結プレート（32）と部品を共通化するために、ロッド連結ピン（37）を設けた締結プレート（32）を用いてもよい。
【００４４】
第１太陽光パネルユニット（2）及び第２太陽光パネルユニット（3）の架台（50）を構成するそれぞれの杭（55）には、杭（55）の上端からの寸法が同じ位置に貫通孔（61）が位置合わせ機構（60）として形成されている。
【００４５】
この貫通孔（61）は、第１太陽光パネルユニット（2）と第２太陽光パネルユニット（3）を設置した図１の状態で、各太陽光パネルユニット（2，3）の架台（50）を同じ高さで東西方向に一直線上に配列することを目的として形成されている。具体的には、各杭（55）の貫通孔（61）の位置を一直線上に揃えるために、本実施形態の太陽光発電システム（1）では、レーザー光の投光部（66）と受光部（67）とを有するレーザー位置決めユニット（65）が用いられ、直進性のあるレーザー光が各貫通孔（61）を通るように杭（55）の位置を決めることで、各太陽光パネルユニット（2，3）を位置決めするようにしている。
【００４６】
（太陽光発電システムの設置方法）
この太陽光発電システム（1）の設置は以下のようにして行われる。
【００４７】
まず、各太陽光パネルユニット（2，3）を地面（G）に固定する際、杭（55）と太陽光パネル（11）とは固定されていない状態であり、地面（G）には、くい打ちをするためのスリーブ（70）が東西方向に一列に並ぶ状態で埋め込まれる。本実施形態では、図８に示すように地面（G）は特に整地されず、平坦になっていなくてもよい。
【００４８】
本実施形態では、このスリーブ（70）に杭（55）を挿入しながら地面（G）に打ち込み、杭（55）の高さをほぼ揃えるようにする。この状態で、レーザー位置決めユニット（65）の投光部（66）と受光部（67）を杭（55）の貫通孔（61）の基準高さに揃えて対向させるように配置する。レーザー光は直進性を有しているので、杭（55）の高さが揃っていればすべての貫通孔（61）をレーザー光が通過する。
【００４９】
このとき、レーザー光が貫通孔（61）を通過しない太陽光パネルユニット（2，3）があれば、その太陽光パネルユニット（2，3）は高さが他と揃っていないので高さ調整を行い、すべての太陽光パネルユニット（2，3）の杭（55）の高さを揃えてレーザー光がすべての貫通孔（61）を通過するようにした状態で、杭（55）の下端部をモルタルで固める。上記各スリーブ（70）は東西方向に一列に並んでいるので、上記貫通孔（61）の位置が揃っていれば、杭（55）は高さが一定で、しかも傾きも生じていない状態となり、地面（G）に固定される。以上が本発明の配列工程である。
【００５０】
杭（55）が地面（G）に固定されると、次に太陽光パネル（11）の裏面に固定されたフレーム（40）を杭（55）に取り付ける作業（設置工程）を行う。具体的には、フレーム（40）の保持用部材（42）を杭（55）の支持部（51）に対して固定金具で取り付ける。こうすることにより、架台（50）である杭（55）に対して回動軸（41）が固定される。太陽光パネル（11）は、回動軸（41）に対して回動可能であるから、杭（55）に対しても角度調整可能な状態となる。
【００５１】
次に、第１太陽光パネルユニット（2）の架台（50）にエアシリンダ（20）を取り付ける。具体的には、杭（55）の側面にブラケット（25）を介してエアシリンダ（20）の後端を固定する一方、シリンダロッド（22）の先端部を、フレーム（40）の軸受けブロック（46）に固定されている締結プレート（32）のロッド連結ピン（37）に連結する。また、エアシリンダ（20）をシリンダ駆動部品（26）と接続し、エアシリンダ（20）に圧縮エアを供給できる状態とする。
【００５２】
次に、各太陽光パネルユニット（2，3）のリンク部材（31）が有している連結部（35）の二山ジョイント（36）にリンク連結ロッド（6）を連結ピン（図示せず）により連結する連結工程を行う。各リンク部材（31）をリンク連結ロッド（6）で連結することにより、エアシリンダ（20）を駆動して第１太陽光パネルユニット（2）の太陽光パネル（11）を回動させると、その動きがリンク連結ロッド（6）及びリンク部材（31）を介して各第２太陽光パネルユニット（3）の太陽光パネル（11）に伝達される。したがって、すべての太陽光パネルユニット（2，3）の太陽光パネル（11）が同期して回動する状態となる。
【００５３】
−運転動作−
本実施形態の太陽光発電システム（1）では、太陽の方角に応じて太陽光パネル（11）の角度が調整される。
【００５４】
この太陽光発電システム（1）には、例えば日射センサ（図示せず）が設けられ、太陽の方位が検出される。そして、コントローラ（図示せず）により、太陽光パネル（11）が太陽の方位に対応する状態となる角度が求められ、太陽光パネル（11）がその角度になるようにアクチュエータ（20）であるエアシリンダ（20）が制御される。
【００５５】
エアシリンダ（20）が駆動されてシリンダロッド（22）が進退すると、回動軸（41）を中心としてフレーム（40）が回動し、それに伴って太陽光パネル（11）が回動する。第１太陽光パネルユニット（2）のフレーム（40）が回動すると、その動作がリンク連結ロッド（6）とリンク部材（31）を介して第２太陽光パネルユニット（3）に伝達される。そして、第２太陽光パネルユニット（3）のフレーム（40）及び太陽光パネル（11）が第１太陽光パネルユニット（2）と同じ動きをし、すべての太陽光パネルユニット（2，3）の太陽光パネル（11）が、太陽の方位に応じて同じ角度に調整される。
【００５６】
このように、本実施形態では、すべての太陽光パネル（11）が太陽の方位に合う方向を向き、各太陽光パネル（11）への太陽光の入射角度を最適角度に設定できるので、効率のよい太陽光発電が行われる。
【００５７】
−実施形態１の効果−
本実施形態によれば、各太陽光パネルユニット（2，3）の架台（50）を１本の杭（55）で構成し、この杭（55）を地面（G）に打ち込むことによって架台（50）を地面（G）に固定できるようにしているので、図８に示すように地面（G）が平坦でない場合でも整地作業を行わずに架台（50）の高さを揃えられる。従って、整地作業に要する工数を省くことができるから、太陽光発電システム（1）の設置を容易に行うことが可能になり、コストダウンも可能になる。
【００５８】
また、上記実施形態では、杭（55）に貫通孔（61）を形成し、この貫通孔（61）にレーザー光を通すようにしているので、６台の太陽光パネルユニット（2，3）の高さを揃えた状態で一列に並べて設置するのを容易に行うことができる。
【００５９】
また、上記レーザー位置決めユニット（65）は、太陽光発電システム（1）の設置時にのみ使用するだけでなく、例えば太陽光発電システム（1）の運転中に所定期間が経過する毎に、架台（50）の位置のずれを定期的に検出するのに使用することも可能である。そうすることにより、太陽光発電システム（1）の動作の安定性を高めることが可能になる。
【００６０】
《その他の実施形態》
上記実施形態については、以下のような構成としてもよい。
【００６１】
例えば、上記実施形態で説明したフレーム（40）やリンク部材（31）の構造は一例であり、本発明においては架台（50）が１本の杭（55）で連結されている限りは、フレーム（40）やリンク部材（31）の構成は適宜変更してもよい。
【００６２】
また、上記実施形態では、６台の太陽光パネルユニット（2，3）により太陽光発電システム（1）を構成するようにしているが、太陽光パネルユニット（2，3）の台数は、システムに要求される電力等に応じて適宜変更してもよい。
【００６３】
なお、以上の実施形態は、本質的に好ましい例示であって、本発明、その適用物、あるいはその用途の範囲を制限することを意図するものではない。
【産業上の利用可能性】
【００６４】
以上説明したように、本発明は、太陽光パネルと該太陽光パネルを駆動して回動させる駆動機構とを備えた太陽光パネルユニットを複数用いることで構成される太陽光発電システム、及びこの太陽光発電システムを室外に設置するときの設置方法について有用である。
【符号の説明】
【００６５】
1   太陽光発電システム
2   第１太陽光パネルユニット
3   第２太陽光パネルユニット
5   駆動機構
6   リンク連結ロッド
11  太陽光パネル
20  アクチュエータ
30  リンク機構
41  回動軸
50  架台
51  支持部
55  杭
60  位置合わせ機構
61  貫通孔
G   接地面
【図１】
0005633539.tif 000002
【図２】
0005633539.tif 000003
【図３】
0005633539.tif 000004
【図４】
0005633539.tif 000005
【図５】
0005633539.tif 000006
【図６】
0005633539.tif 000007
【図７】
0005633539.tif 000008
【図８】
0005633539.tif 000009